(57)【要約】【課題】タッチダウン現像方式の現像装置を具備する画像形成装置において、トナー飛散を抑制し、長期に亘って安定した現像特性を維持し、安定した画像を得ることのできる画像形成装置を提供することにある。【解決手段】タッチダウン現像方式の現像装置を有する画像形成装置は、ハウジング内にトナーを補給するトナー補給手段を備え、トナー担持体および二成分現像剤担持体の近傍に浮遊する飛散トナーを回収する電極部材が、前記二成分現像剤担持体と前記トナー担持体の最近接位置よりも前記二成分現像剤担持体の回転方向下流側で、且つ前記二成分現像剤担持体と前記ハウジング壁の間に配置され、さらに、飛散トナーを回収するためのバイアス電圧を前記電極部材に印加するバイアス手段と、前記トナー補給手段のトナー補給量に応じて前記バイアス電圧を制御する制御手段とを備えた。【選択図】図１
2008225383.tif 000002
【特許請求の範囲】
【請求項１】
内部に磁性部材を配置しキャリアとトナーからなる現像剤を磁気的に保持する二成分現像剤担持体と、該二成分現像剤担持体よりトナーを移送してその表面にトナー薄層を担持するトナー担持体とをハウジング内に少なくとも備え、前記トナー担持体および／または前記二成分現像剤担持体に現像バイアスを印加して、静電潜像担持体表面に形成された静電潜像の現像を行う画像形成装置であって、
前記ハウジング内に前記トナーを補給するトナー補給手段を備え、
前記トナー担持体および前記二成分現像剤担持体の近傍に浮遊する飛散トナーを回収する電極部材が、前記二成分現像剤担持体と前記トナー担持体の最近接位置よりも前記二成分現像剤担持体の回転方向下流側で、且つ前記二成分現像剤担持体と前記ハウジング壁の間に配置され、
さらに、飛散トナーを回収するためのバイアス電圧を前記電極部材に印加するバイアス手段と、前記トナー補給手段のトナー補給量に応じて前記バイアス電圧を制御する制御手段とを備えたことを特徴とする画像形成装置。
【請求項２】
前記トナー補給手段はトナー量検出センサを備え、該トナー量検出センサの出力値に応じてトナー補給量を制御することを特徴とする請求項１記載の画像形成装置。
【請求項３】
前記電極部材は回転ローラであることを特徴とする請求項１または２記載の画像形成装置。
【請求項４】
前記静電潜像担持体の周速が１８０ｍｍ／ｓｅｃ以上であることを特徴とする請求項１記載の画像形成装置。
【請求項５】
請求項１記載の画像形成装置を用いた画像形成方法であって、前記トナー補給量はトナー量検出センサの出力値に応じてトナー補給ローラの駆動を所定時間ＯＮ／ＯＦＦすることによって制御されることを特徴とする画像形成方法。
【請求項６】
前記トナー補給量が所定値を超えた場合、前記電極部材に前記二成分現像剤担持体に印加されている直流電圧よりも低い直流電圧を印加することを特徴とする請求項５記載の画像形成方法。
【発明の詳細な説明】
【技術分野】
【０００１】
本発明は、電子写真方式を利用した複写機、プリンタ、ファクシミリ、それらの複合機などの画像形成装置に関し、特に、磁性キャリアを用いて非磁性のトナーを帯電させる二成分現像剤を使用し、磁気ブラシを形成し、磁気ブラシにより現像ローラ上にトナー薄層を形成させ、トナー薄層のトナーを静電潜像に飛翔させ、該潜像を現像するようにした画像形成装置に関する。
【背景技術】
【０００２】
従来、電子写真方式の画像形成装置において、乾式トナーを用いる現像方式としては、一成分現像方式および二成分現像方式が知られている。
一成分現像方式は、キャリアを含まないため、キャリアおよびトナーから形成される磁気ブラシによって感光体の静電潜像が乱されることがなく、高画質化に適している。しかし、一成分現像方式は、トナーの帯電量を安定して維持することが難しい。また、カラートナーの場合、透過性が求められるため、非磁性トナーである必要がある。そのため、フルカラー画像形成装置においては、トナーを帯電および搬送する媒体としてキャリアを用いる二成分現像方式を採用する場合が多い。
【０００３】
二成分現像方式を用いた画像形成方法として、二成分現像剤を担持する現像剤担持体上に形成された磁気ブラシで、トナー担持体上にトナー薄層を形成させ、トナー担持体上のトナー薄層により静電潜像担持体上の静電潜像を現像して可視化する、所謂タッチダウン現像（ハイブリッド現像ともいわれる。）による画像形成方法が知られている。しかし、この現像方式は二成分現像方式と一成分現像方式を組み合わせており、静電潜像を現像する時のトナーの適正帯電量とトナー薄層を形成する時のトナーの適正帯電量に差があるという問題があり、トナー薄層のトナー量が少なく画像濃度不良が発生したり、または現像に寄与しなかったトナー薄層の剥ぎ取り不良による現像ゴースト等の問題が発生することがあった。
【０００４】
このため、例えば特許文献１では、現像ローラに直流バイアスを重畳させたデューティ比１０〜５０％の交流バイアスを印加して現像ゴースト、選択現像性を抑制する手段が提供されている。しかしながら、上述したように、薄層形成時と現像時の最適なトナー帯電量が異なっているため、前記手段ではその対策が不十分な場合があった。
【０００５】
一方、上記のような問題の発生する原因のひとつとして飛散トナーの影響が挙げられる。トナーの飛散は、ハウジング内でトナーを撹拌する際の飛散や、磁気ローラ近傍での飛散など現像装置が主たる発生箇所となる。そして、現像装置で発生した飛散トナーは、静電潜像担持体をはじめ光学系装置や帯電装置、転写装置等を配置した電子写真装置の内部に飛散し、上記したような問題を含め、各種の画像不良、動作不良等を引き起こす。
【０００６】
このような問題を解決するために、特許文献２では、静電潜像担持体に対して離間対向する状態で回転自在に設けられ、現像剤の供給時に飛散する現像剤を表面に付着させて外部への飛散を防止する飛散防止部材と、前記飛散防止部材上に付着した現像剤を掻き落とす掻落手段とを用いてトナー飛散を防止することが提案されている。
【特許文献１】特開２００３−２８０３５７号公報
【特許文献２】特開平８−１３７２５６号公報
【発明の開示】
【発明が解決しようとする課題】
【０００７】
しかしながら、トナー飛散量はトナー補給量により変化するために、特許文献２による方法では、常に一定量しか回収できない。特にタッチダウン現像方式においては、飛散トナーが現像ローラ上のトナー薄層に影響を及ぼし、画像乱れが発生する場合があり、よりトナー飛散を抑制する必要がある。また、タッチダウン現像方式では、二成分現像剤のトナー濃度が高く、現像剤の流動性が悪いため、磁気ブラシが二成分現像剤収容部に回収される際に、次々と現像剤が回収されてくるため、押し込まれ圧縮され、同時に空気が行き場を失い、空気と共にトナーが外部に放出されるので、よりトナー飛散が発生しやすい。
【０００８】
また、特にタッチダウン現像方式であり、且つドラム線速が１８０ｍｍ／ｓｅｃ以上のような高速機においては、現像剤の劣化を抑制するために、現像剤総量を増やした系では、トナー飛散が発生しやすい場合があった。ちなみに、目安としてドラム線速１８０ｍｍ／ｓｅｃはＡ４横で約４０枚／分、２５０ｍｍ／ｓｅｃで約５０枚／分、３４０ｍｍ／ｓｅｃで約６０枚／分である。
【０００９】
本発明の課題は、タッチダウン現像方式の現像装置を具備する画像形成装置において、トナー飛散を抑制し、特にトナー補給量の違いによる飛散トナーの発生を抑制して、長期に亘って安定した現像特性を維持し、安定した画像を得ることのできる画像形成装置および画像形成方法を提供することにある。
【課題を解決するための手段】
【００１０】
上記課題を解決するための画像形成装置および画像形成方法は、以下の構成を有する。
（１）内部に磁性部材を配置しキャリアとトナーからなる現像剤を磁気的に保持する二成分現像剤担持体と、該二成分現像剤担持体よりトナーを移送してその表面にトナー薄層を担持するトナー担持体とをハウジング内に少なくとも備え、前記トナー担持体および／または前記二成分現像剤担持体に現像バイアスを印加して、静電潜像担持体表面に形成された静電潜像の現像を行う画像形成装置であって、前記ハウジング内に前記トナーを補給するトナー補給手段を備え、前記トナー担持体および前記二成分現像剤担持体の近傍に浮遊する飛散トナーを回収する電極部材が、前記二成分現像剤担持体と前記トナー担持体の最近接位置よりも前記二成分現像剤担持体の回転方向下流側で、且つ前記二成分現像剤担持体と前記ハウジング壁の間に配置され、さらに、飛散トナーを回収するためのバイアス電圧を前記電極部材に印加するバイアス手段と、前記トナー補給手段のトナー補給量に応じて前記バイアス電圧を制御する制御手段とを備えたことを特徴とする画像形成装置。
（２）前記トナー補給手段はトナー量検出センサを備え、該トナー量検出センサの出力値に応じてトナー補給量を制御することを特徴とする（１）に記載の画像形成装置。
（３）前記電極部材は回転ローラであることを特徴とする（１）または（２）に記載の画像形成装置。
（４）前記静電潜像担持体の周速が１８０ｍｍ／ｓｅｃ以上であることを特徴とする（１）〜（３）のいずれかに記載の画像形成装置。
（５）（１）に記載の画像形成装置を用いた画像形成方法であって、前記トナー補給量はトナー量検出センサの出力値に応じてトナー補給ローラの駆動を所定時間ＯＮ／ＯＦＦすることによって制御されることを特徴とする画像形成方法。
（６）前記トナー補給量が所定値を超えた場合、前記電極部材に前記二成分現像剤担持体に印加されている直流電圧よりも低い直流電圧を印加することを特徴とする（５）に記載の画像形成方法。
【発明の効果】
【００１１】
本発明によれば、飛散トナーを回収する電極部材を二成分現像剤担持体とトナー担持体の最近接位置よりも前記二成分現像剤担持体の回転方向下流側で、且つ前記二成分現像剤担持体とハウジング壁の間に配置し、飛散トナーを回収するためのバイアス電圧を印加するバイアス手段を備え、該バイアス手段により、トナー補給量に基づいて前記バイアス電圧が制御されるので、トナー補給量よって発生量の異なる飛散トナーを一層効果的に前記電極部材上に回収することができる。その結果、トナー飛散を抑制し、長期間安定した画像品質が得られる。
【発明を実施するための最良の形態】
【００１２】
以下、本発明の実施の形態を図面に基づいて詳細に説明する。図１は本発明の一実施形態に係るタッチダウン現像方式の画像形成装置の概略構成を示す説明図である。図２は図１の現像手段の一部を示す概略構成図である。図３は図１に示す現像手段を用いたタンデム式カラー画像形成装置の一例を示す概略構成図である。
【００１３】
（画像形成装置）
本発明の画像形成装置は、磁性キャリア４とトナー５からなる二成分現像剤を用いて磁気ローラ１上に担持された二成分現像剤により現像ローラ２上にトナー薄層９を形成し、感光体３（静電潜像担持体）上に形成された静電潜像を現像する、所謂タッチダウン現像方式による画像形成装置である。図１に示すように、該画像形成装置は、前記感光体３を備え、この感光体３の周囲には帯電手段８、露光手段１６、現像手段１８、一次転写手段２２、二次転写手段２５、定着手段２６、クリーニング手段２４およびトナー補給手段４７等が配置されている。
【００１４】
前記画像形成装置による画像形成は以下のようにして行われる。即ち、前記感光体３の表面が帯電手段８により均一に帯電され、この帯電された表面を露光手段１６により露光して静電潜像が形成される。得られた静電潜像には現像手段１８からトナー５を付着させることによりトナー像として現像される。このトナー像は一次転写手段としての一次転写ローラ２２によって、中間転写体（中間転写ベルト）２０上に感光体３から転写される。そして、複数色のトナー像を中間転写体２０上に重ねて転写した後、二次転写手段としての二次転写ローラ２５により、給紙カセット２７から二次転写位置に搬送された被転写体にトナー像を転写する。この被転写体は定着手段としての定着ローラ２６に搬送されて、ここでトナー像が被転写体上に定着された後、例えば、排紙トレー（不図示）に排紙される。転写後に感光体３表面に残った未現像のトナーはクリーニング手段２４により除去される。
【００１５】
感光体３としては、セレン、アモルファスシリコン等の無機感光体、導電性基体上に電荷発生剤、電荷輸送剤、結着樹脂等を含有する単層または積層の感光層が形成された有機感光体（ＯＰＣ）等が挙げられる。帯電手段８としては、スコロトロン方式、帯電ローラ、帯電ブラシ等が挙げられる。露光手段１６は、露光光としてＬＥＤまたは半導体レーザー等が挙げられる。また、クリーニング手段２４としては例えばドクターブレード式等が挙げられ、それぞれ公知のものを用いることができる。
【００１６】
現像手段１８は、内部に複数の磁性部材が固定して配設され、該磁性部材の外周部を回転するスリーブ状の磁気ローラ１（二成分現像剤担持体）と、内部に前記磁気ローラ１とは異極の磁性部材が固定して配設され、該磁性部材の外周部を回転するスリーブ状の現像ローラ２（トナー担持体）と、前記磁気ローラ１と前記現像ローラ２の互いに異なる磁極の磁力により磁界が形成され、この磁界により磁気ローラ１上に形成された磁気ブラシ６の高さを一定に保つための規制ブレード７と、飛散トナーを回収するための電極部材１４とから構成されている。さらに、磁気ローラ１に印加する交流（ＡＣ）バイアス電源１１ａおよび直流（ＤＣ：Ｖｄｃ１）バイアス電源１１ｂと、現像ローラ２に印加する交流（ＡＣ）バイアス電源１２ａおよび直流（ＤＣ：Ｖｄｃ２）バイアス電源１２ｂと、電極部材１４に印加する交流（ＡＣ）バイアス電源１３ａおよび直流（ＤＣ：Ｖｄｃ３）バイアス電源１３ｂとを備えている。また前記電極部材１４に印加するバイアス電圧を制御する制御手段１５を備えている。
【００１７】
また、本発明の画像形成装置は、トナー補給手段４７としてトナー５が収納されたトナーコンテナ４７と、該トナーコンテナ４７から二成分現像剤を収容する二成分現像剤収容部４５に供給されたトナー５を、キャリア４とともに攪拌し帯電させる攪拌スクリュー４０と攪拌スクリュー４４を有し、仕切板４２の両端部で連通し、その一端側を通って攪拌スクリュー４０から攪拌スクリュー４４に供給された二成分現像剤を磁気ローラ１へ供給し、攪拌スクリュー４４は前記一端とは他端側から攪拌スクリュー４０側へと二成分現像剤を循環してなる、磁気ローラ１、現像ローラ２、攪拌スクリュー４０および攪拌スクリュー４４が収納されたハウジング４６とを備えている。
【００１８】
なお、本発明の画像形成装置は、図３に示すように、４つの感光体３Ａ，３Ｂ，３Ｃ，３Ｄが中間転写体２０上に配列されたタンデム式（間接転写タンデム方式）のカラー画像形成装置に好適に用いることができる。そこでは、上記した現像手段１８を用いて、マゼンタ、シアン、イエローおよびブラックの各トナーをそれぞれ収容した現像装置１８Ａ，１８Ｂ，１８Ｃ，１８Ｄにより前記感光体３Ａ，３Ｂ，３Ｃ，３Ｄ上の静電潜像が可視像化されトナー像がそれぞれ形成される。そして中間転写体２０の表面に、前記感光体３Ａ，３Ｂ，３Ｃ，３Ｄ上に可視像化されたトナー像が、上流側の感光体３Ａから順に転写される。この中間転写体２０上に転写されたフルカラー画像は、給紙カセット２７から搬送されてきた被転写体に二次転写ローラ２５により転写され、次いで定着ローラ２６で定着された後、この被転写体が排出される。
【００１９】
ここで、前記飛散トナーは、その発生源として、主として磁気ローラ１上の二成分現像剤が二成分現像剤収容部４５に回収される際、磁気ブラシ６が圧縮されることにより、磁気ブラシ６間の空気が二成分現像剤収容部４５に入りこめずにはね返されるため、二成分現像剤回収部４３から空気と共にトナー５も噴出し発生する。タッチダウン現像方式では、磁気ローラ１が現像ローラ２との最近接位置付近で、現像ローラ２上にトナー５を供給してトナー薄層９を形成すると共に、静電潜像の現像に寄与しなかった現像ローラ２上の未現像トナーを引き剥がして回収しており、この未現像トナーはキャリア４との付着性が小さい（トナー薄層９形成時の二成分現像剤中のトナー５とキャリア４の付着力に比べて）。またタッチダウン現像方式では二成分現像剤中のトナー濃度を通常の二成分現像方式に比べ高く保っているため、二成分現像剤の流動性が低く、磁気ブラシ６間の空気が二成分現像剤収容部４５により入り込みにくい構成となっているので、トナー飛散が発生しやすい。
【００２０】
また、プロセス線速が高速化すればするほど短時間で多くの静電潜像を現像するのに必要なトナー５を現像ローラ２に搬送する必要があるが、逆にトナー層９を形成する時間が短くなるため、二成分現像剤中のトナー濃度を高くする等の対策が必要となる。すなわち、トナー層９を形成した後、二成分現像剤収容部４５に回収されてくる二成分現像剤は低速時に比べ、トナー濃度が高くなってしまう。また、現像ローラ２上の未現像トナーの引き剥がし時間も短くなり、且つ二成分現像剤収容部４５に回収されてくる二成分現像剤のトナー濃度が高いため、より引き剥がしが困難となってしまう。更にトナー飛散も発生しやすい状態となり、且つ飛散トナーが現像ローラ２に付着してしまう場合があり、回収トナー量が増大し、よりトナー飛散が増加しやすい。
【００２１】
また、飛散トナーはトナー補給量が多くなる場合にも発生しやすい。上記したように、トナー補給量が多い時、すなわちトナー補給ローラ４８の駆動時間が長いときやトナー補給ローラ４８の回転数が速くなる場合などでは、補給されたトナー５の摩擦帯電が不十分なうちに磁気ローラ１付近に搬送されてくる場合があり、帯電が不十分なトナー５はキャリア４との付着力が弱いため、磁気ローラ１の回転による遠心力や磁気ブラシ６が二成分現像剤収容部４５に回収される際の圧力等でキャリア４から離れ、トナー飛散が発生しやすくなる。
そして、飛散トナーは各種の画像不良、動作不良等を引き起こし、特に飛散トナーは現像ローラ２の表面に付着し、引き剥がし不良によるゴースト現象が発生しやすくなり、良好な画像形成を妨げる要因のひとつとなる。
【００２２】
(電極部材)
本発明に係る電極部材１４は、前記飛散トナーを捕集し、それを磁気ローラ１に戻すためのものであり、図１に示すように、感光体３、現像ローラ２、磁気ローラ１、および攪拌スクリュー４０、４４の配置構成において、前記磁気ローラ１と前記現像ローラ２の最近接位置よりも前記磁気ローラ１の回転方向下流側で、且つ前記磁気ローラ１とハウジング４６壁との隙間を塞ぐようにして磁気ローラ１に対向して配設される。
【００２３】
上記構成とすることにより、前記現像ローラ２と前記磁気ローラ１の近傍に浮遊する飛散トナーや前記磁気ローラ１の下部側の隙間を通して図１中の矢印方向Ａに移動して前記画像形成装置内に飛散する飛散トナーを分子間力や静電気力等により前記電極部材１４表面に付着させて捕集することができる。
【００２４】
前記電極部材１４は、図４に示すように、平板形状、前記磁気ローラ１と対向する面が前記磁気ローラ１表面と略同じ曲面をなす形状、あるいはローラ形状等が挙げられるが、前記磁気ローラ１とハウジング４６壁との隙間を塞ぐようにして磁気ローラ１に対向して配設されるものであれば、特にこれらの形状に限定されるものではない。好ましくは、飛散トナーの回収性が良好で、且つ回収した飛散トナーを磁気ローラ１上に形成された磁気ブラシ６を介して二成分現像剤収容部４５に戻しやすいため、ローラ形状のものがよい。
【００２５】
なお、前記電極部材１４がローラ形状である場合、該ローラは周方向に回転しているのがよい。これにより、前記ローラの表面に付着した飛散トナーを、磁気ローラ１上に形成された磁気ブラシ６と接触して剥離され、磁気ローラ１側に戻すことができる。
【００２６】
前記ローラの回転方向は、磁気ローラ１の回転方向とはその対向位置で互いに同一の方向（磁気ローラ１とトレール回転）であっても、互いに逆方向の回転（カウンター回転）であってもよい。好ましくは、トレール回転である。トレール回転とすることにより、前記ローラ上のトナーをすぐに磁気ローラ１に回収しやすくなると共に、回収トナーに加えられるストレスが低減するので、回収されるトナーの劣化を防止できる。
【００２７】
前記ローラの周速は、５〜１００ｍｍ／ｓｅｃがよく、好ましくは１０〜７０ｍｍ／ｓｅｃである。前記ローラの周速が５ｍｍ／ｓｅｃ未満であると、回転数が少なく飛散トナーの回収量が好ましくない。また、１００ｍｍ／ｓｅｃを超えると飛散トナーの回収性が低下すると共に、磁気ブラシ６による付着トナーの剥離の際に再び飛散してしまうおそれがあるので好ましくない。
【００２８】
前記電極部材１４の材質は、アルミニウム、ステンレススチール（ＳＵＳ）等の金属を用いることができる。飛散トナーの付着性の観点から比表面積が大きいアルマイト処理をしたアルミニウム、または／更に静電的な付着性の観点からはフッ素系樹脂等で表面を被覆していることが好ましい（トナーの帯電特性が正帯電性の場合）。
【００２９】
また、前記電極部材１４がローラ形状である場合、前記回収ローラ１４の表面に付着した飛散トナーは、磁気ブラシ６により回収され、更に残留トナーは前記回収ローラ１４の表面に当接配置された回収ブレード１７により除去され、回収されてもよい。
前記回収ブレード１７の材質は、ウレタンゴムなど公知のものを用いることができる。
【００３０】
前記電極部材１４は、飛散トナーを回収するためのバイアス手段１３によりバイアス電圧が印加され、前記バイアス電圧は制御手段１５を用いて制御される。即ち、前記バイアス電圧の制御は、トナー補給量に応じて前記バイアス電圧を前記電極部材１４に印加するものである。
即ち、トナー５の帯電特性が正帯電の場合、トナー補給量が多い場合には、前記電極部材１４の電位を磁気ローラ１の電位よりも低くすることで飛散トナーを捕集する。トナー５の帯電特性が負帯電の場合は逆に高くすればよい。つまり、正規の帯電特性に帯電したトナー５がより引き付けられやすいバイアスを印加すればよい。従って、トナー５と逆極性のバイアスを印加することが最も好ましい。トナー５と逆極性のバイアスを印加した場合は、磁気ローラ１上の二成分現像剤からも直接トナー５を引き付けるため、よりトナー飛散を抑制することができる。また、トナー補給によるトナー飛散は一時的なものなので攪拌混合が十分に行われればトナー５の摩擦帯電が十分な値となり、トナー飛散は抑制される。従って、少なくとも一時的に飛散トナーを補給回収しておけばよく、トナー補給時以外のタイミングで回収したトナーを磁気ローラ１へ戻せばよい。
【００３１】
前記トナー補給の制御においては、攪拌スクリュー４０の下部に配設されたトナー量検出センサ４９からの検出信号に基づいて出力される出力値（以下、トナコン出力値という。）に応じて、トナーコンテナ４７のトナー補給ローラ４８を駆動制御することにより二成分現像剤収容部４５へのトナー５の補給量が制御される。トナー量検出センサ４９としては、磁気センサー、圧電センサー等を用いることができ、好ましくは磁気センサーである。
図５にトナコン出力値の時間変化の一例を示した。図５に示すトナコン出力波形は、攪拌スクリュー４０の回転周期により電圧が高（Ｖｍａｘ）、低（Ｖｍｉｎ）と変化している（図５中の実線）。そして、印刷によりトナーが消費され、現像剤中のトナー濃度が低下すると、波形は破線のように上昇し、ＶｍａｘがＶ’ｍａｘとなる。逆に、トナーが補給されトナー濃度が上昇してくると、波形は低下し、Ｖ’ｍａｘがＶｍａｘとなる。ここで、Ｖｍａｘ値が閾値（ＴＡＲＧＥＴ値）を超えると、トナー補給ローラを駆動させてトナー補給を実行させ、Ｖｍａｘ値が閾値以下になるとトナー補給ローラを停止させて、トナー濃度を一定に保つように制御させる。
【００３２】
トナーコンテナ４７からのトナー補給方法は、例えばトナコン出力値に応じたトナー補給ローラ４８のＯＮ／ＯＦＦを可変する間欠補給とし、ＯＮ／ＯＦＦの時間設定は、トナコン出力値と閾値（ＴＡＲＧＥＴ値）との電圧差に応じて次の５段階で行う。
(1) トナコン出力値がＴＡＲＧＥＴ値＋０．２Ｖ未満の場合：ＯＮ（０．２秒）／ＯＦＦ（０．６秒）
(2)トナコン出力値がＴＡＲＧＥＴ値＋０．２Ｖ〜＋０．４Ｖ未満の場合：ＯＮ（０．４秒）／ＯＦＦ（０．６秒）
(3)トナコン出力値がＴＡＲＧＥＴ値＋０．４Ｖ〜＋０．６Ｖ未満の場合：ＯＮ（０．６秒）／ＯＦＦ（０．６秒）
(4)トナコン出力値がＴＡＲＧＥＴ値＋０．６Ｖ〜＋０．８Ｖ未満の場合：ＯＮ（０．６秒）／ＯＦＦ（０．４秒）  
(5)トナコン出力値がＴＡＲＧＥＴ値＋０．８Ｖ以上の場合：ＯＮ（０．６秒）／ＯＦＦ（０．２秒）
上記のような間欠トナー補給制御の場合、ＯＮ／ＯＦＦ比率が高くなると、補給トナーの攪拌による帯電量不足が生じるため、トナー飛散が増加する傾向となる。そこで、上記（４），（５）の場合には、前記電極部材１４の印加電圧を磁気ローラ１と同電位から低い電圧に変更するのがよい。
なお、トナー補給ローラ４８を０．２秒間駆動させた場合、約０．２ｇのトナー５が補給されるように設定した。また、前記ＴＡＲＧＥＴ値は、トナー濃度が適正な濃度、これは用いるキャリア４の粒子径によって変わるが、例えば５〜１５％になるように設定される。
【００３３】
図６に電極部材１４に印加するバイアス電圧の制御の一例をフローチャート図で示した。電極部材１４には、初期に磁気ローラ１と同電位の交流バイアス電圧を印加する。画像形成時にトナー量検出センサ４９によりトナコン出力値が得られる。
次に、得られたトナコン出力値を、前述したように、閾値（ＴＡＲＧＥＴ値）との電圧差を比較する。例えば、トナコン出力値がＴＡＲＧＥＴ値＋０．６Ｖ未満である場合は、電極部材１４に印加しているバイアス電圧は変更せずに、引き続き印加する。そしてトナコン出力値がＴＡＲＧＥＴ値＋０．６Ｖを超えた場合、正規のトナー５の帯電特性が正帯電極性である場合は電極部材１４に磁気ローラ１の電位よりも低い電位となるように直流電圧を変更する。正規のトナー５の帯電特性が負帯電極性である場合は、逆に磁気ローラ１の電位よりも高い電位となるように直流電圧を変更する。
なお、電極部材１４に印加するバイアス値を変更するトナコン出力値は、ＴＡＲＧＥＴ値＋０．６ｖ以上とするのが好ましいが、トナー帯電量、トナー粒度分布、トナー粒子径、磁気ローラ周速等によって飛散トナーの発生量が変わるのでそれらに応じて適宜、最適な値を設定するのがよい。
また、前記トナー補給量の増減を、トナー補給ローラ４８の駆動時間の変化から判断してもよい。即ち、前記トナー補給量の所定値として、トナー補給ローラ４８の所定の駆動時間を用いることもできる。
【００３４】
前記電極部材１４上に付着し蓄積した飛散トナーは、非画像形成時に磁気ローラ１へ戻すためのバイアスを印加させることにより、磁気ローラ１に戻すことができる。この場合、例えば電極部材１４にはＶｄｃ３＝５００Ｖ、磁気ローラ１と逆位相でＶｐｐ＝３００Ｖ、周波数ｆ＝２．７ｋＨｚ、Ｄｕｔｙ比＝３０％を印加するように設定する。
このようにバイアス印加により電極部材１４に付着した飛散トナーを磁気ローラ１側に回収することによりストレスの影響を受けないため、トナー５の外添剤の埋没や剥離などトナー５の劣化を低減する効果がある。
【００３５】
（現像方法）
図２に本発明にかかる現像手段の一部を模式的に示す。以下に、現像方法について説明する。
磁気ローラ１に内包されている固定マグネットで磁気的に拘束されているキャリア４（磁性体粒子）と、その表面と帯電保持しているトナー５とからなる磁気ブラシ６が、磁気ローラ１表面を回動し現像ローラ２へ搬送される。磁気ローラ１の表面はブラスト処理や溝加工を施したものを用いることで磁気ブラシ６の搬送をよりスムーズに行える。
【００３６】
図２に示すように、現像ローラ２には直流電圧（ＤＣ：Ｖｄｃ２）１２ｂに交流電圧（ＡＣ）１２ａを重畳させた現像バイアス電圧１２が印加され、磁気ローラ１には直流電圧（ＤＣ：Ｖｄｃ１）１１ｂに交流電圧（ＡＣ）１１ａを重畳させた現像バイアス電圧１１が印加される。そして、磁気ローラ１上には前記磁気ブラシ６が形成され、磁気ローラ１上の磁気ブラシ６は規制ブレード７によって層規制されて、磁気ローラ１と現像ローラ２との間の電位差によって、搬送された磁気ブラシ６の帯電しているトナー５のみが現像ローラ２に移動しトナー層９を形成する。そして、現像ローラ２上のトナー層９によって感光体３上の静電潜像が現像される。なお、前記直流電圧Ｖｄｃは、面積中心電圧であり、ＤＵＴＹ比を変化させた際変化する。本発明において、ＤＵＴＹ比は矩形波の交流電圧１周期分において、正極性側に印加される継続時間Ｔ１、負極性側に印加される継続時間Ｔ２とするとＤＵＴＹ比（％）＝[Ｔ１／（Ｔ１＋Ｔ２）]×１００で表される。このとき正極性側に立ち上がる波形と負極性側に立ち上がる波形の面積が互いに等しくなる電圧を面積中心電圧と言う。必要に応じて直流電圧を重畳してもよく、直流電圧を重畳した場合はＶｄｃ＝直流電圧＋面積中心電圧となる。交流を印加しない場合のＶｄｃは単なる直流電圧である。
【００３７】
感光体３上の前記静電潜像は、感光体３の表面に帯電手段８により＋２５０〜８００Ｖに帯電したところへ、露光手段１６を用いて形成することができる。ＯＰＣ感光体を用いると、全露光で＋７０〜２２０Ｖが得られ、アモルファスシリコン感光体では１０〜５０Ｖの露光後電位が得られる。露光には、半導体レーザーおよびＬＥＤのどちらも用いることができる。
【００３８】
上述のようにして現像が行われた後、残留トナー層を有する現像ローラ２はその対向位置において現像剤層を有する磁気ローラ１と最接近し、この対向位置で磁気ブラシ６による機械的な力によって、現像ローラ２上のトナー層９が掻き取られる。それと同時に、磁気ローラ１と現像ローラ２との間に形成される電位差（つまり、電界）に応じて磁気ローラ１上の現像剤層からトナー５が現像ローラ２側に供給されることになる。
【００３９】
現像時、バイアス条件は、磁気ローラ１に＋３００〜５００Ｖを、現像ローラ２に＋１００Ｖを印加するのがよい。薄層形成の電位差としては、２００〜４００Ｖが適正でトナー５の帯電量とのバランスで調整すればよい。フィードバック制御等を用いることで、トナー薄層９の層厚をある程度一定にすることが可能である。
【００４０】
交流条件は、磁気ローラ１に現像ローラ２と同周波数、同周期で逆位相のＶP-P（ピーク交流バイアス）＝０．１〜２．０ｋＶ、周波数＝２〜４ｋＨｚ、ＤＵＴＹ比＝６０〜８０％を、現像ローラ２にはＶP-P＝１．０〜２．０ｋＶ、周波数＝２〜４ｋＨｚ、ＤＵＴＹ比＝２０〜４０％が好ましい。ＶP-Pを高めると薄層形成がより瞬時に行われるが、反面耐リーク性が弱くなりノイズの発生原因になる。これらの点については、磁気ローラ１や現像ローラ２の表面にアルマイト処理等で絶縁性を高めることはマージンが広がるので好ましい。周波数については、トナー５の帯電量で調整すればよい。
【００４１】
トナー５の体積平均粒子径は４．０〜７．５μｍであるのがよい。４．０μｍ未満では非静電的な付着力の影響が大きくなり現像性、回収性が低下し、７．５μｍより大きいと画質の滑らかさなど高画質な画像が得られにくい。また、トナー５の帯電量は６〜３０μＣ／ｇ程度が好ましい。これよりも低い帯電量では、磁気ブラシ６からトナー５が舞って周辺を汚してしまい、またこれよりも高いと薄層形成が弱くなる。
トナー体積平均粒子径はマルチサイザーIII（ベックマン・コールター社製）を用い、アパチャー径１００μｍ（測定範囲２．０〜６０μｍ）で測定することができる。
また、トナー帯電量は、ＱＭメータ（ＴＲＥＫ社製、ＭＯＤＥＬ  ２１０ＨＳ）で測定することができる。
【００４２】
キャリア４は、公知のものを用いることができるが、好ましくはフェライトのコアを用いて表面に樹脂のコーティングを施したものを用いるのがよい。コーティング樹脂はシリコーン、フッ素エポキシ、フッ素シリコーン、ポリアミド、ポリアミドイミドなど既知のものでよい。また、キャリア粒子径（重量平均粒子径）は２５〜５０μｍのものを用いるのが好ましい。２５μｍ未満であると磁力による保持力が弱まるため、現像ローラ２、電極部材１４へキャリア４が移行してしまうキャリア飛び等が発生し、５０μｍを超えると、磁気ブラシ６の密さが適度でなく、またトナー薄層９の形成が滑らかではなく、比表面積が小さいためトナー５の回収性も低下する。さらにキャリア４の飽和磁化は３５〜９０ｅｍｕ／ｇのものが好ましい。飽和磁化が３５ｅｍｕ／ｇより低いと顕著にキャリア飛びが悪くなり、９０ｅｍｕ／ｇより高いと磁気ブラシ６が疎になり均一な薄層形成が出来なくなる。
キャリア４の飽和磁化は、ＴＯＥＩ社製「ＶＳＭ−Ｐ７」を用いて、磁場７９．６ｋＡ／ｍ（１ｋＯｅ）で測定することができる。
【００４３】
磁気ローラ１と現像ローラ２のギャップは２００〜６００μｍ、好ましくは３００〜４００μｍである。ギャップは薄層形成を瞬時に行うために最も効果的な因子である。その幅が広いとその効率が低下し、現像ゴースト等の問題が生じる。また狭いとブレードギャップを通過する磁気ブラシ６がギャップを通過できずにトナー薄層９を乱してしまう等の問題が生じる。
【００４４】
また、磁気ローラ１と電極部材１４のギャップは、磁気ブラシ６が電極部材１４に接触する程度の間隔であり、磁気ローラ１と現像ローラ２のギャップよりも小さくするのがよく、１５０〜５００μｍ、好ましくは２００〜３００μｍである。
【００４５】
磁気ローラ１と電極部材１４間との距離を磁気ローラ１と現像ローラ２の間の距離以下とすることで磁気ローラ１周辺から発生する飛散トナーが現像ローラ２側へ飛散していくのを防止することが可能となる。なお、磁気ローラ１と電極部材１４とのギャップを狭めると、リークが発生するので、このリークを抑えるために電極部材１４の表面にアルマイト処理等で絶縁性を高め、抵抗を持たせることが必要となる。その場合、電極部材１４表面の電気抵抗率は、１０7〜１０12Ω・ｍであるのがよい。
【００４６】
以下、実施例を挙げて本発明を詳細に説明するが、本発明は以下の実施例のみに限定されるものではない。
【００４７】
[実施例１]
以下に示す仕様により、図１に示す本発明の画像形成装置を作製した。本発明の電極部材１４としてはローラ電極１４を用いた。感光体３、現像ローラ２、磁気ローラ１およびローラ電極１４の各スリーブの寸法は下記の通りである。
感光体３：外径３０ｍｍ
現像ローラ２：外径２０ｍｍ
磁気ローラ１：外径２５ｍｍ
ローラ電極１４：外径１０ｍｍ
感光体３ドラムにはアモルファスシリコンを使用し、各ローラのスリーブには、それぞれアルミニウムを使用した。
また、各ドラムの周速は下記の通りである。
感光体３：３００ｍｍ／ｓｅｃ
現像ローラ２：４５０ｍｍ／ｓｅｃ
磁気ローラ１：６７５ｍｍ／ｓｅｃ
ローラ電極１４：３０ｍｍ／ｓｅｃ
【００４８】
上記で作製した画像形成装置を用いた画像形成時の条件を下記に示した。
感光体表面電位：＋３１０Ｖ（露光後電位２０Ｖ）
現像剤中のトナーのＱ／ｍ：２７μＣ／ｇ  
トナー粒径（体積平均粒子径）：７．０μｍ
キャリア粒径（重量平均粒子径）：４５μｍ
磁気ローラと現像ローラ間距離：３５０μｍ
現像ローラとローラ電極間距離：１０００μｍ
磁気ローラとローラ電極間距離：２５０μｍ
現像ローラ印加電圧：Ｖｄｃ２＝１００Ｖ、ＶP-P＝１．６ｋＶ，周波数ｆ＝２．７ｋＨｚ、Ｄｕｔｙ比＝３０％
磁気ローラ印加電圧：Ｖｄｃ１＝３００Ｖ、現像ローラと同周期で逆位相のＶP-P＝３００Ｖ，周波数ｆ＝２．７ｋＨｚ、Ｄｕｔｙ比＝７０％
ローラ電極印加電圧を変更するトナコン出力所定値：ＴＡＲＧＥＴ値＋０．８Ｖ
ローラ電極印加電圧：
(1) 初期およびトナコン出力値がＴＡＲＧＥＴ値＋０．８Ｖ以下；Ｖｄｃ３＝３００Ｖ、磁気ローラと逆位相のＶP-P＝３００Ｖ，周波数ｆ＝２．７ｋＨｚ、Ｄｕｔｙ比＝３０％
(2) トナコン出力値がＴＡＲＧＥＴ値＋０．８Ｖ超えた場合；Ｖｄｃ３＝２００Ｖ、磁気ローラと逆位相のＶP-P＝３００Ｖ，周波数ｆ＝２．７ｋＨｚ、Ｄｕｔｙ比＝３０％
【００４９】
[実施例２,３，比較例１]
トナコン出力値がＴＡＲＧＥＴ値＋０．８Ｖ超えた場合のＶｄｃ３を、表１に示す値に代えた以外は、実施例１と同様の条件として、実施例２,３および比較例１を作製した。なお、比較例１はＶｄｃ３＝３００Ｖとしたので、トナー補給量に関係なく初期からの変化はない。
【００５０】
(評価)
評価は、上記で作製した画像形成装置を用いて、画像ムラおよびトナー飛散を下記に示す評価方法および評価基準により行った。
（画像ムラ）
画像ムラ評価は、印字率２％の原稿を連続５１０枚出力させた後、ハーフトーン画像を出力し、画像ムラ（濃度ムラ）を目視により確認し、下記に示す評価基準により行った。
○：画像ムラがない。  
×：画像ムラがある。
（トナー飛散）
トナー飛散の評価は、印字率２％の原稿を連続５１０枚出力させ、１０枚後と５１０枚後のローラ電極１４上の飛散トナーの付着程度を目視により確認し、下記に示す評価基準により行った。評価結果を表１に示す。
◎：１０枚後と５１０枚後の差がほとんどない。  
○：１０枚後と５１０枚後の差がやや見られる。
△：１０枚後と５１０枚後の差があり、やや飛散トナーが堆積している。
×：１０枚後と５１０枚後の差があり、明らかに飛散トナーが堆積している。
これらの評価結果を表１に示す。
【表１】
2008225383.tif 000003
【００５１】
表１に示すように、本発明の範囲内である実施例１〜３は、トナー補給量に応じたバイアス制御がなされたので、画像ムラが発生せず、飛散トナーは少なく、トナー飛散が抑制された。
これに対して、比較例１はＶｄｃ３＝３００Ｖなので、トナー補給量に関係なく初期から一定のバイアス電圧となり、トナー補給量に応じたバイアス制御をしないので画像ムラが生じ、トナー飛散が顕著であった。
【図面の簡単な説明】
【００５２】
【図１】本発明の一実施形態に係るタッチダウン現像方式の画像形成装置の概略構成を示す説明図である。
【図２】図１の現像手段の一部を示す概略構成図である。
【図３】図１に示す現像手段を用いたタンデム式カラー画像形成装置の一例を示す概略構成図である。
【図４】本発明の電極部材の形状の一例を示した図である。
【図５】本発明に係るトナコン出力値の時間変化の一例を示した図である。
【図６】本発明の一実施形態における電極部材に印加するバイアス電圧の制御の一例を示すフローチャート図である。
【符号の説明】
【００５３】
１      二成分現像剤担持体（磁気ローラ）
２      トナー担持体（現像ローラ）
３      静電潜像担持体（感光体）
４      キャリア
５      トナー
６      磁気ブラシ
７      規制ブレード
８      帯電手段
９      トナー薄層
１１ａ    交流電源
１１ｂ    直流電源
１２ａ    交流電源
１２ｂ    直流電源
１３ａ    交流電源
１３ｂ    直流電源
１４      電極部材
１６      露光手段
２２      一次転写手段
２４      クリーニング手段
２５      二次転写手段
２６      定着手段
【図１】
2008225383.tif 000004
【図２】
2008225383.tif 000005
【図３】
2008225383.tif 000006
【図４】
2008225383.tif 000007
【図５】
2008225383.tif 000008
【図６】
2008225383.tif 000009